(57)【特許請求の範囲】
【請求項１】
受信された信号光を可変的に減衰する光可変減衰器を制御する光伝送装置であって、
前記光可変減衰器によって減衰された信号光を受信するモジュールの種類と前記光可変減衰器の制御パラメータとを対応付けて記憶する制御パラメータ記憶手段と、
前記モジュールの種類として、前記モジュールのメーカー、商品名、型番のいずれか一つまたは複数を検出するモジュール検出手段と、
前記モジュール検出手段によって検出された前記モジュールの種類に対応する制御パラメータとして、フィードフォワード制御を行うか否かの閾値を、前記制御パラメータ記憶手段から取得し、取得された前記閾値を前記光可変減衰器の制御パラメータとして切り替えるように制御する光可変減衰器制御手段と
を備えることを特徴とする光伝送装置。
【請求項２】
前記光可変減衰器制御手段は、前記制御パラメータとして、フィードフォワード制御によって信号光を減衰させる減衰量、フィードフォワード制御とフィードバック制御との比率のいずれか一つまたは複数を切り替えるように制御することを特徴とする請求項１に記載の光伝送装置。
【請求項３】
受信された信号光を可変的に減衰する光可変減衰器を制御する光可変減衰器制御方法であって、
前記光可変減衰器によって減衰された信号光を受信するモジュールの種類として、前記モジュールのメーカー、商品名、型番のいずれか一つまたは複数を検出するモジュール検出工程と、
前記モジュールの種類と前記光可変減衰器の制御パラメータとを対応付けて記憶する制御パラメータ記憶手段から、前記モジュール検出工程にて検出された前記モジュールの種類に対応する制御パラメータとして、フィードフォワード制御を行うか否かの閾値を取得し、取得された前記閾値を前記光可変減衰器の制御パラメータとして切り替えるように制御する光可変減衰器制御工程と
を含んだことを特徴とする光可変減衰器制御方法。
【請求項４】
受信された信号光を可変的に減衰する光可変減衰器を制御する光可変減衰器制御方法をコンピュータに実行させる光可変減衰器制御プログラムであって、
前記光可変減衰器によって減衰された信号光を受信するモジュールの種類として、前記モジュールのメーカー、商品名、型番のいずれか一つまたは複数を検出するモジュール検出手順と、
前記モジュールの種類と前記光可変減衰器の制御パラメータとを対応付けて記憶する制御パラメータ記憶手段から、前記モジュール検出手順によって検出された前記モジュールの種類に対応する制御パラメータとして、フィードフォワード制御を行うか否かの閾値を取得し、取得された前記閾値を前記光可変減衰器の制御パラメータとして切り替えるように制御する光可変減衰器制御手順と
をコンピュータに実行させることを特徴とする光可変減衰器制御プログラム。
【発明の詳細な説明】
【技術分野】
【０００１】
この発明は、受信された信号光を可変的に減衰する光可変減衰器を制御する光伝送装置、光可変減衰器制御方法および光可変減衰器制御プログラムに関する。
【背景技術】
【０００２】
従来より、光通信方式において、通信容量を増やすために、波長分割多重（以下ＷＤＭ）通信が主流になりつつある。このＷＤＭ通信では、受信された信号光を可変的に減衰する光可変減衰器を制御して、受信する光強度のダイナミックレンジを拡大する光伝送装置が知られている。
【０００３】
このような光伝送装置では、光可変減衰器が光受信モジュールの前段に設置されており、光受信強度の変化が光受信モジュールのパワーモニタによって検出され、当該光受信強度の変化に応じて、フィードバック制御を行う（特許文献１参照）。
【０００４】
近年、光受信モジュールは、製品仕様を標準化し、複数のベンダが互換性のある共通仕様としたＭＳＡ（multi source agreement）に準拠したものが主流になっている。このため、同一の装置に対して機構的に交換が可能となっており、マルチベンダから光受信モジュールを調達して光伝送装置を製造する場合が考えられる。
【０００５】
【特許文献１】特開２００６−２０３１７９号公報
【発明の開示】
【発明が解決しようとする課題】
【０００６】
ところで、上記したマルチベンダによる光受信モジュールを用いる技術では、光可変減衰器を制御するために使用するパワーモニタの特性がメーカーや種類によって異なるため、マルチベンダによる光受信モジュールに対して、同一の制御回路で光可変減衰器に適切な動作をさせるように設計をするのは難しいという課題があった。
【０００７】
そこで、この発明は、上述した従来技術の課題を解決するためになされたものであり、使用される光受信モジュールの種類が異なる場合でも、光可変減衰器が適切に動作するように制御することが目的である。
【課題を解決するための手段】
【０００８】
この装置は、受信された信号光を可変的に減衰する光可変減衰器を制御する光伝送装置であって、前記光可変減衰器によって減衰された信号光を受信するモジュールの種類を検出するモジュール検出手段と、前記モジュール検出手段によって検出された前記モジュールの種類に応じて、前記光可変減衰器の制御パラメータを切り替えるように制御する光可変減衰器制御手段と、を備えることを要件とする。
【発明の効果】
【０００９】
開示の装置は、構成する部品に対して予め設定された最適な制御パラメータを選択して光可変減衰器を制御するので、複数の種類の光送受信モジュールに対して同一の制御回路で制御が可能であり、また、使用される光受信モジュールの種類が異なる場合でも、光可変減衰器が適切に動作するように制御することができるという効果を奏する。
【発明を実施するための最良の形態】
【００１０】
以下に添付図面を参照して、この発明に係る光伝送装置、光可変減衰器制御方法および光可変減衰器制御プログラムの実施例を詳細に説明する。
【実施例１】
【００１１】
以下の実施例では、実施例１に係る光伝送装置の概要および特徴、光伝送装置の構成および処理の流れを順に説明し、最後に実施例１による効果を説明する。なお、以下では、フィードフォワード制御およびフィードバック制御を行って光信号を減衰する光伝送装置において、フィードフォワード制御およびフィードバック制御のパラメータを切り替えて制御する例を説明する。
【００１２】
［実施例１に係る光伝送装置の概要および特徴］
まず最初に、図１を用いて、実施例１に係る光伝送装置の概要および特徴を説明する。図１は、実施例１に係る光伝送装置の概要および特徴を説明するための図である。
【００１３】
実施例１の光伝送装置１０では、受信された信号光を可変的に減衰する光可変減衰器を制御することを概要とする。そして、この光伝送装置１０では、光可変減衰器が適切に動作するように制御する点に主たる特徴がある。
【００１４】
この主たる特徴について具体的に説明すると、光送受信モジュール１４の種類と光可変減衰器１３の制御パラメータとを対応付けて記憶する制御パラメータテーブル１５ｃを備える（後に図４を用いて詳述）。
【００１５】
このような構成のもと、光伝送装置１０は、光可変減衰器１３によって減衰された信号光を受信する光送受信モジュール１４の種類を検出する（図１の（１）参照）。具体的には、光伝送装置１０の制御回路１５は、制御バスを介して光送受信モジュール１４の製造元メーカーを識別するモジュールＩＤを検出する。
【００１６】
そして、光伝送装置１０は、検出されたモジュールＩＤに応じて、光可変減衰器１３の制御パラメータを切り替えるように制御する（図１（２）参照）。具体的には、光伝送装置１０の制御回路１５は、検出されたモジュールＩＤに対応する制御パラメータを制御パラメータテーブル１５ｃから取得し、当該取得された制御パラメータを光可変減衰器１３の制御パラメータとして切り替えるように制御する。
【００１７】
例えば、光伝送装置１０の制御回路１５は、光送受信モジュール１４のモニタ回路の応答が十分に高速である場合は、フィードフォワード制御の比率を小さく設定し、フィードバック制御の比率を大きくするように制御する。逆に、光送受信モジュール１４のモニタ回路の遅延が大きい場合は、フィードフォワード制御の比率を大きく設定し、フィードバック制御の比率を小さくする。つまり、遅延時間や制御目標レベルは使用する光送受信モジュール１４の種類によって異なるため、制御回路１５は、各種類に対してフィードバック制御とフィードフォワード制御のパラメータを適切に設定する。
【００１８】
このように、光伝送装置１０は、構成する部品に対して予め設定された最適な制御パラメータを選択して光可変減衰器を制御するので、複数の種類の光送受信モジュールに対して同一の制御回路で制御が可能であり、また、使用される光受信モジュールの種類が異なる場合でも、光可変減衰器が適切に動作するように制御することが可能である。
【００１９】
［光伝送装置の構成］
次に、図２および図３を用いて、図１に示した光伝送装置１０の構成を説明する。図２および図３は、実施例１に係る光伝送装置１０の構成を示すブロック図である。同図に示すように、この光伝送装置１０は、光電気変換器１２、光可変減衰器１３、光送受信モジュール１４、制御回路１５、信号処理部１６、光送受信モジュール１７、光可変減衰器１８を備え、入出力ポート等を介して光入力端子２０、２０ａおよび光出力端子３０、３０ａと接続される。以下にこれらの各部の処理を説明する。なお、まず図２を用いて光伝送装置１０を説明した後に、図３を用いて、光分岐素子１１、光電気変換器１２、光可変減衰器１３、光送受信モジュール１４、制御回路１５について詳述する。
【００２０】
図２に示すように、光分岐素子１１は、光入力端子２０によって入力された伝送路からの光信号を分岐させて、光電気変換器１２と光可変減衰器１３に光信号を入力する。光電気変換器１２は、光分岐素子１１によって入力された光信号を電気信号に変換して制御回路１５に入力する。
【００２１】
光可変減衰器１３は、光分岐素子１１によって入力された光信号の光強度が強い場合に、受信レンジに収まるように強度を可変的に減衰して、光送受信モジュール１４に入力する。光送受信モジュール１４は、光可変減衰器１３によって入力された光信号を電気信号に変換して信号処理部１６に通知するとともに、入力された信号強度をモニタリングする。
【００２２】
信号処理部１６は、光送受信モジュール１４によって通知された電気信号に所定の信号処理を行って光送受信モジュールに通知する。そして、光送受信モジュール１７は、信号処理部１６によって通知された電気信号を光信号に変換し、光出力端子３０に入力して対向側の伝送路に送信される。
【００２３】
続いて、図３を用いて、光分岐素子１１、光電気変換器１２、光可変減衰器１３、光送受信モジュール１４、制御回路１５の各処理について詳しく説明する。
【００２４】
同図に示すように、光分岐素子１１は、光入力端子２０によって入力された光信号の光強度を光可変減衰器１３の前段でモニタするために、光分岐素子１１を介して一定の比率の光を光電気変換器１２に入力し、残りの主信号を光可変減衰器１３に入力する。
【００２５】
光電気変換器１２は、光分岐素子１１によって入力された光信号の光強度をモニタし、その光強度をモニタ値として制御回路１５に通知する。このモニタ値に応じて、制御回路１５がフィードフォワード制御の減衰量を決定して、光可変減衰器１３を制御する。
【００２６】
光可変減衰器１３は、光強度が強い場合に、受信レンジに収まるように強度を減衰する。具体的には、光可変減衰器１３は、制御回路１５によって制御パラメータが設定され、当該制御パラメータに応じて、光強度を減衰する。例えば、制御パラメータとして、フィードフォワード制御を行うか否かの「閾値」、フィードフォワード制御によって信号光を減衰させる「減衰量」、フィードフォワード制御とフィードバック制御との「比率」が制御回路１５によって設定される。
【００２７】
ここで、図５を用いて、光可変減衰器１３の制御動作を説明する。図５は、光可変減衰器１３の制御動作を説明するための図である。図５の例では、光可変減衰器１３の動作の一例として、装置への入力光が急激に強くなった場合の変化を表している。同図に示すように、装置への入力光が急激に強くなった場合に、光可変減衰器１３は、入力光の光強度を減衰して、光送受信モジュール１４が受信するモジュール受信光の光強度が制御目標レベルに収まるようにする。
【００２８】
光可変減衰器１３は、光強度の減衰として、フィードフォワードによる減衰とフィードバックによる減衰とを行っている。このフィードバックによる減衰は、図５に示すように、後述する光送受信モジュール１４のモニタ機能による成分を示しており、装置への入力光が急激に強くなった場合に、正確な制御を行うことができる反面、入力光の変化に対して応答に遅延（図５の例では、「フィードバック遅延時間」）が生じてしまう。
【００２９】
一方、フィードフォワードによる減衰は、光電気変換器１２のモニタ量による成分をあらわしており、入力光の変化に対する応答の遅延はほぼ無視できるが、減衰制御を正確に行うことが難しい。ここでは、フィードバック制御とフィードフォワード制御とを適切に組み合わせて応答速度と精度の両方を満足する制御を実現している。
【００３０】
つまり、遅延時間や制御目標レベルは使用する光送受信モジュール１４の種類によって異なることになるため、各種類に応じて、フィードバック制御とフィードフォワード制御の制御パラメータが制御回路１５によって切り替える制御行っている。
【００３１】
例えば、制御回路１５は、光送受信モジュール１４のモニタ回路の応答が十分に高速である場合には、フィードフォワード制御の比率を小さく設定し、フィードバック制御の比率を大きくする。つまり、光送受信モジュール１４のモニタ回路の応答が十分に高速であればフィードバック遅延時間が短いので、フィードフォワード制御を有効にする時間を短くする。
【００３２】
逆に、光送受信モジュール１４のモニタ回路の遅延が大きい場合は、フィードバック遅延時間が長いので、フィードフォワード制御を有効にする時間を長くする。なお、ここで、「フィードフォワード制御を有効にする時間」とは、フィードバック遅延によりフィードバック制御が行われていない間に行うフィードフォワード制御の時間のことをいう（図５参照）。
【００３３】
図３の説明に戻ると、光送受信モジュール１４は、光可変減衰器１３によって入力された光信号を電気信号に変換して信号処理部１６に通知するとともに、入力された信号強度をモニタリングするが、特に本発明に密接に関連するものとしては、光受信端子１４ａ、受信強度モニタ１４ｂ、制御バスインターフェース１４ｃを備える。また、光送受信モジュール１４は、自らの製造元メーカーを示すモジュールＩＤを図示しない記憶部に記憶している。
【００３４】
光受信端子１４ａは、光可変減衰器１３によって入力された光信号を受信する。受信強度モニタ１４ｂは、光受信端子１４ａによって受信された光信号の光強度をモニタする。具体的には、受信強度モニタ１４ｂは、光受信端子１４に入力された光信号の光強度および光強度の変化をモニタし、その光強度をモニタ値として制御回路１５に通知する。このモニタ値に応じて、制御回路１５がフィードフォワード制御の減衰量を決定して、光可変減衰器１３を制御する。
【００３５】
制御バスインターフェース１４ｃは、制御回路１５との間で、データの送受信を行う。具体的には、制御バスインターフェース１４ｃは、制御回路１５から光送受信モジュール１４の種類を通知する旨の要求を受信し、また、制御回路１５に対して自らの光送受信モジュール１４の種類を送信する。
【００３６】
制御回路１５は、各種の処理手順などを規定したプログラムおよび所要データを格納するための内部メモリを有し、これらによって種々の処理を実行するが、特に本発明に密接に関連するものとしては、種類検出部１５ａ、光可変減衰器制御部１５ｂ、制御パラメータテーブル１５ｃを備える。なお、種類検出部１５ａは、特許請求の範囲に記載の「モジュール検出手段」に対応し、光可変減衰器制御１５ｂは、特許請求の範囲に記載の「光可変減衰器制御手段」に対応する。
【００３７】
制御パラメータテーブル１５ｃは、光送受信モジュール１４の種類と光可変減衰器１３の制御パラメータとを対応付けて記憶する。具体的には、制御パラメータテーブル１５ｃは、図４に例示するように、光送受信モジュール１４の製造元メーカーを示す「モジュールＩＤ」と、制御パラメータとして「フィードフォワード制御」を有効にする時間の割合とを対応付けて記憶する。
【００３８】
つまり、フィードバック遅延時間は、光送受信モジュール１４の種類によって異なるので、光送受信モジュール１４の種類に応じて、「フィードフォワード制御」を有効にする時間を調整する。図４の例を用いて説明すると、制御パラメータテーブル１５ｃは、モジュールＩＤ「Ａ社」の光送受信モジュール１４におけるモニタ回路の応答が十分に高速であってフィードバック遅延時間が短い場合に、「フィードフォワード制御」を有効にする時間の割合を「０．８」として、フィードフォワード制御を有効にする時間を短くする制御パラメータを記憶する。
【００３９】
また、制御パラメータテーブル１５ｃは、モジュールＩＤ「Ｂ社」の光送受信モジュール１４におけるモニタ回路の応答が遅くてフィードバック遅延時間が長い場合に、フィードフォワード制御を有効にする時間の割合を「１．２」として、フィードフォワード制御を有効にする時間を長くする制御パラメータを記憶する。
【００４０】
図３の説明に戻ると、種類検出部１５ａは、光可変減衰器１３によって減衰された信号光を受信する光送受信モジュール１４の種類を検出する。具体的には、光伝送装置１０の制御回路１５は、制御バス１６を介して光送受信モジュール１４の製造元メーカーを示すモジュールＩＤを検出する。
【００４１】
光可変減衰器制御部１５ｂは、光伝送装置１０は、検出されたモジュールＩＤに応じて、光可変減衰器１３の制御パラメータを切り替えるように制御する。具体的には、光伝送装置１０の制御回路１５は、検出されたモジュールＩＤに対応する制御パラメータを制御パラメータテーブル１５ｃから取得し、当該取得された制御パラメータを光可変減衰器１３の制御パラメータとして切り替えるように制御する。
【００４２】
例えば、光可変減衰器制御部１５ｂは、制御パラメータテーブル１５ｃから制御パラメータとして、フィードフォワード制御を有効にする時間の割合「０．８」を取得した場合には、初期値として保持するフィードフォワード制御を有効にする時間に「０．８」を乗算した値を、フィードフォワード制御を有効にする時間として切り替えるように制御する。
【００４３】
［光伝送装置による処理］
次に、図６を用いて、実施例１に係る光伝送装置１０による処理を説明する。図６は、実施例１に係る光伝送装置１０の処理動作を示すフローチャートである。
【００４４】
同図に示すように、光伝送装置１０の制御回路１５は、装置起動指示を受け付けると（ステップＳ１０１肯定）、制御バス１６を介して光送受信モジュール１４のモジュールＩＤを検出する（ステップＳ１０２）。
【００４５】
そして、制御回路１５は、検出されたモジュールＩＤに対応する制御パラメータを制御パラメータテーブル１５ｃから選択し（ステップＳ１０３）、当該選択された制御パラメータを光可変減衰器１３の制御パラメータとして切り替えるように制御する（ステップＳ１０４）。
【００４６】
[実施例１の効果]
上述してきたように、光伝送装置１０は、構成する部品に対して予め設定された最適な制御パラメータを選択して光可変減衰器を制御するので、複数の種類の光送受信モジュールに対して同一の制御回路で制御が可能であり、また、使用される光受信モジュールの種類が異なる場合でも、光可変減衰器が適切に動作するように制御することが可能である。
【実施例２】
【００４７】
さて、これまで本発明の実施例について説明したが、本発明は上述した実施例以外にも、種々の異なる形態にて実施されてよいものである。そこで、以下では実施例２として本発明に含まれる他の実施例を説明する。
【００４８】
（１）制御パラメータ
上記の実施例１では、制御パラメータとして、フィードフォワード制御を有効にする時間を切り替えるように制御する場合を説明したが、本発明はこれに限定されるものではなく、制御パラメータとして、フィードフォワード制御を行うか否かの「閾値」やフィードフォワード制御によって信号光を減衰させる「減衰量」を切り替えるように制御するようにしてもよい。
【００４９】
例えば、光伝送装置の制御回路は、光送受信モジュールのモジュールＩＤと、フィードフォワード制御を行うか否かの閾値と、フィードフォワード制御によって信号光を減衰させる減衰量とを対応付けて記憶する制御パラメータテーブルを備え、検出された光送受信モジュールのモジュールＩＤに対応する制御パラメータを制御パラメータテーブル１５ｃから選択し、当該選択された制御パラメータを光可変減衰器１３の制御パラメータとして切り替えるように制御する。
【００５０】
つまり、制御回路は、受信レンジや制御目標レベルが使用する光送受信モジュールの種類によって異なるため、各種類に対してフィードフォワード制御を行うか否かの「閾値」やフィードフォワード制御によって信号光を減衰させる「減衰量」を適切に光可変減衰器に設定する。
【００５１】
（２）モジュールＩＤ
また、上記の実施例１では、モジュールＩＤとして、光送受信モジュールの製造元メーカーを検出する場合を説明したが、本発明はこれに限定されるものではなく、モジュールＩＤとして、光送受信モジュールの商品名や型番を検出するようにしてもよい。
【００５２】
（３）冗長構成
また、本発明は、伝送路に冗長構成を持った伝送装置に適用するようにしてもよい。具体的には、図７に示すように、実施例２に係る冗長構成を持った伝送路１０ａでは、光入力端子２０Ａ、２０Ｂへの入力光がそれぞれ光電気変換器１２Ａ、１２Ｂでモニタされ、光入力端子２０Ａ、２０Ｂの入力光のうちいずれかが、光スイッチ１７によって選択され、選択された光信号を光可変減衰器１３が減衰した後、光送受信モジュール１４が受信している。
【００５３】
このような冗長構成であっても、光可変減衰器１３の特性がメーカーや種類によって異なれば、同一の制御回路で光可変減衰器に適切な動作をさせるように設計をするのは難しいので、実施例１と同様に本発明を適用することで、同様の効果が得られる。
【００５４】
（４）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、種類検出部１５ａおよび光可変減衰器制御部１５ｂを統合して構成してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。例えば、制御パラメータテーブルに記憶される制御パラメータは任意に変更してもよい。
【００５６】
（５）プログラム
ところで、上記の実施例で説明した各種の処理は、あらかじめ用意されたプログラムをコンピュータで実行することによって実現することができる。そこで、以下では、図８を用いて、上記の実施例と同様の機能を有するプログラムを実行するコンピュータの一例を説明する。図８は、光可変減衰器制御方法を実行するコンピュータを示す図である。
【００５７】
同図に示すように、光伝送装置としてのコンピュータ６００は、ＨＤＤ６１０、ＲＡＭ６２０、ＲＯＭ６３０およびＣＰＵ６４０をバス６５０で接続して構成される。
【００５８】
そして、ＲＯＭ６３０には、上記の実施例と同様の機能を発揮する光可変減衰器制御プログラム、つまり、図８に示すように、種類検出プログラム６３１、光可変減衰器制御プログラム６３２が予め記憶されている。なお、プログラム６３１〜６３２については、図３に示した光伝送装置の各構成要素と同様、適宜統合または分散してもよい。
【００５９】
そして、ＣＰＵ６４０が、これらのプログラム６３１〜６３２をＲＯＭ６３０から読み出して実行することで、図８に示すように、各プログラム６３１〜６３２は、種類検出プロセス６４１、光可変減衰器制御プロセス６４２として機能するようになる。各プロセス６４１〜６４２は、図３に示した種類検出部１５ａ、光可変減衰器制御部１５ｂにそれぞれ対応する。
【００６０】
また、ＨＤＤ６１０には、図８に示すように、制御パラメータテーブル６１１が設けられる。なお、制御パラメータテーブル６１１は、図３に示した制御パラメータテーブル１５ｃに対応する。そして、ＣＰＵ６４０は、制御パラメータテーブル６１１に対してデータを登録するとともに、制御パラメータテーブル６１１から制御パラメータデータ６２１を読み出してＲＡＭ６２０に格納し、ＲＡＭ６２０に格納された制御パラメータデータ６２１に基づいて処理を実行する。
【００６１】
以上の実施例１〜２を含む実施形態に関し、更に以下の付記を開示する。
【００６２】
（付記１）受信された信号光を可変的に減衰する光可変減衰器を制御する光伝送装置であって、
前記光可変減衰器によって減衰された信号光を受信するモジュールの種類を検出するモジュール検出手段と、
前記モジュール検出手段によって検出された前記モジュールの種類に応じて、前記光可変減衰器の制御パラメータを切り替えるように制御する光可変減衰器制御手段と、
を備えることを特徴とする光伝送装置。
【００６３】
（付記２）前記モジュールの種類と前記制御パラメータとを対応付けて記憶する制御パラメータ記憶手段をさらに備え、
前記光可変減衰器制御手段は、前記モジュール検出手段によって検出された前記モジュールの種類に対応する制御パラメータを制御パラメータ記憶手段から取得し、当該取得された制御パラメータを前記光可変減衰器の制御パラメータとして切り替えるように制御することを特徴とする付記１に記載の光伝送装置。
【００６４】
（付記３）前記モジュール検出手段は、前記モジュールの種類として、前記モジュールのメーカー、商品名、型番のいずれか一つまたは複数を検出することを特徴とする付記１または２に記載の光伝送装置。
【００６５】
（付記４）前記光可変減衰器制御手段は、前記制御パラメータとして、フィードフォワード制御を行うか否かの閾値、フィードフォワード制御によって信号光を減衰させる減衰量、フィードフォワード制御とフィードバック制御との比率のいずれか一つまたは複数を切り替えるように制御することを特徴とする付記１〜３のいずれか一つに記載の光伝送装置。
【００６６】
（付記５）受信された信号光を可変的に減衰する光可変減衰器を制御する光可変減衰器制御方法であって、
前記光可変減衰器によって減衰された信号光を受信するモジュールの種類を検出するモジュール検出工程と、
前記モジュール検出工程によって検出された前記モジュールの種類に応じて、前記光可変減衰器の制御パラメータを切り替えるように制御する光可変減衰器制御工程と、
を含んだことを特徴とする光可変減衰器制御方法。
【００６７】
（付記６）受信された信号光を可変的に減衰する光可変減衰器を制御する光可変減衰器制御方法をコンピュータに実行させる光可変減衰器制御プログラムであって、
前記光可変減衰器によって減衰された信号光を受信するモジュールの種類を検出するモジュール検出手順と、
前記モジュール検出手順によって検出された前記モジュールの種類に応じて、前記光可変減衰器の制御パラメータを切り替えるように制御する光可変減衰器制御手順と、
をコンピュータに実行させることを特徴とする光可変減衰器制御プログラム。
【産業上の利用可能性】
【００６８】
以上のように、本発明に係る光伝送装置、光可変減衰器制御方法および光可変減衰器制御プログラムは受信された信号光を可変的に減衰する光可変減衰器を制御する場合に有用であり、特に、使用される光受信モジュールの種類が異なる場合でも、光可変減衰器が適切に動作するように制御することに適する。
【図面の簡単な説明】
【００６９】
【図１】実施例１に係る光伝送装置の概要および特徴を説明するための図である。
【図２】実施例１に係る光伝送装置の構成を示すブロック図である。
【図３】実施例１に係る光伝送装置の構成を示すブロック図である。
【図４】制御パラメータテーブルの一例を説明するための図である。
【図５】光可変減衰器の制御動作を説明するための図である。
【図６】実施例１に係る光伝送装置の処理動作を示すフローチャートである。
【図７】実施例２に係る光伝送装置の構成を示すブロック図である。
【図８】光可変減衰器制御方法を実行するコンピュータを示す図である。
【符号の説明】
【００７０】
１０、１０ａ  光伝送装置
１１  光分岐素子
１２  光電気変換器
１３  光可変減衰器
１４  光送受信モジュール
１４ａ  光受信端末
１４ｂ  受信強度モニタ
１４ｃ  制御バスインターフェース
１５  制御回路
１５ａ  種類検出部
１５ｂ  光可変減衰器制御部
１５ｃ  制御パラメータテーブル
１６  制御バス
【図１】
0004962302.tif 000002
【図２】
0004962302.tif 000003
【図３】
0004962302.tif 000004
【図４】
0004962302.tif 000005
【図５】
0004962302.tif 000006
【図６】
0004962302.tif 000007
【図７】
0004962302.tif 000008
【図８】
0004962302.tif 000009